(57)【要約】  剛性の材料で形成され、喫煙品を収容するためのスペースを形成し、平坦な面で直立するように構成された内方基部を含む容器に関する。この容器は、さらに内方基部の大部分に亘って延びるように内方基部上に嵌められるカバーを含み、内方基部は、拡大された下方端部を含み、容器を閉じる際にカバーが内方基部上に嵌められたときにカバーがこの下方端部と当接する。
2012526710.tif 000002
【特許請求の範囲】
【請求項１】
剛性の材料で形成された容器であって、この容器は、平坦な面で直立するように構成され、喫煙品を収容するためのスペースを形成する内方基部と、この内方基部の大部分に亘って延びるように内方基部上に嵌められるカバーとを含み、内方基部は、拡大された下方端部を含み、容器を閉じる際にカバーが内方基部上に嵌められたときにカバーがこの下方端部と当接する容器。
【請求項２】
容器を閉じる際にカバーが内方基部上に嵌められたときに、カバーと拡大された下方端部が容器の外面で面一にあることを特徴とする請求項１記載の容器。
【請求項３】
前記内方基部が平坦な面上で起立するための底壁と、この底壁から直立した周側壁とを含み、容器を閉じる際にカバーが内方基部上に嵌められたときに、前記カバーが周側壁の体部分に亘って延びることを特徴とする請求項１または２記載の容器。
【請求項４】
拡大された下方端部が前記底壁に隣接した周側壁の端部の外方に拡大された部分を含むことを特徴とする請求項３記載の容器。
【請求項５】
前記底部壁から遠位にある内方基部の周側壁は、容器の内容物を取り出しやすくするためのスリットを含むことを特徴とする請求項３または４記載の容器。
【請求項６】
内容基部の周側壁の円に角度を付けて、容器の内容物を取り出しやすくしている請求項１乃至５いずれか１項記載の容器。
【請求項７】
前記カバーが周縁部から延びた周側壁を有する頂壁を含むことを特徴とする請求項３乃至６いずれか１項記載の容器。
【請求項８】
容器を閉じた状態に維持するためにカバーを内方基部に嵌めたときにカバーを内方基部に固定するための協働する固定手段を内方基部とカバーが含むことを特徴とする請求項７記載の容器。
【請求項９】
前記協働する固定手段は、カバーの周側壁の内面に形成されたリップを含むことを特徴とする請求項８記載の容器。
【請求項１０】
さらに協働する固定手段は、拡大された下方端部に隣接した内方基部の周側壁の外面に形成され、カバーのリップと係合してカバーを内方基部に固定するように構成されたビードを含むことを特徴とする請求項９記載の容器。
【請求項１１】
円筒形状であることを特徴とする請求項１乃至１０いずれか１項記載の容器。
【請求項１２】
容器は実質的に円筒状であり、拡大された下方端部は、内方基部の底部壁に隣接した内方基部の周側壁の端部の円周方向に拡大された部分を含むことを特徴とする請求項３乃至１０いずれか１項記載の容器。。
【請求項１３】
立方体形状であることを特徴とする請求項１乃至１０いずれか１項記載の容器。。
【請求項１４】
容器は、実質的に立方体形状であり、拡大された下方端部は、内方基部の底部壁に隣接した内方基部の周側壁の端部の円周方向に拡大された部分を含むことを特徴とする請求項３乃至１０いずれか１項記載の容器。
【請求項１５】
内方基部の側壁の外面によって形成される内方基部の外方断面は、内方基部の側壁の内面によって形成される内方基部の内方の断面と異なる形状であることを特徴とする請求項３乃至１４いずれか１項記載の容器。
【請求項１６】
内方基部の側壁の外面によって形成される内方基部の外方断面は、内方基部の側壁の内面によって形成される内方基部の内方の断面と同じ形状であることを特徴とする請求項３乃至１４いずれか１項記載の容器。
【請求項１７】
インサートが内方基部内に含まれる喫煙品を並べるために内方基部のスペースに収容され、このインサートは、内方基部の側壁の外方面によって形成された内方基部の外方断面と異なる内方の断面を形成することを特徴とする請求項１乃至１４いずれか１項記載の容器。
【請求項１８】
実質的に方形の外方断面を有することを特徴とする請求項１５または１７記載の容器。
【請求項１９】
実質的に矩形の外方断面を有することを特徴とする請求項１５または１７記載の容器。
【請求項２０】
添付の図面を参照し、本明細書中で実質的に説明された容器。
【発明の詳細な説明】
【技術分野】
【０００１】
本発明は、喫煙品用の容器に関する。
【背景技術】
【０００２】
通常紙巻きタバコなどの喫煙品は、薄いプラスチックまたはホイルフィルムに包まれた簡単な紙または薄い板紙からなるパッケージで供される。これらのパッケージは、製造が容易で費用効率が高いが、これらのパッケージは内容物が潰れたり、損傷したりするのを防ぐには限界がある。さらにこれらのパッケージは、テーブルまたは平らな面で安定して直立できないので、複数の喫煙者で共有することができない。さらにこれらのパッケージは、矩形であるので角が鋭角になっており、パッケージを肌に密接するポケットに入れておくとユーザーが不快に感じたり、ポケットまたはバッグの裏地を傷つける場合がある。
【０００３】
紙巻きタバコなどの喫煙品を収容するための硬い容器で喫煙品の損傷を防ぐことが下記特許文献１から知られている。しかしながら、この特許文献１の容器の壁は、容器に充分な強度を与えるために多量の材料を必要とし、容器を相対的に重くしてしまう。さらに特許文献１の容器は、意図しないで開いてしまうという望ましくない形状を有する。
【発明の概要】
【発明が解決しようとする課題】
【０００４】
本発明は、上述の問題点を克服する、または実質的に軽減する喫煙品用の容器を提供することを目的としている。
【課題を解決するための手段】
【０００５】
本発明では喫煙品を収容するためのスペースを形成し、かつ、平坦な面で直立するように構成された内方基部と、内方基部の主要部分に亘って延びるように内方基部上に嵌められるカバーとを含む、硬質の材料から形成される容器であって、この内方基部は、拡大された下方端部を含み、容器を閉じる際にカバーを内方基部上に嵌めるときにカバーがこの下方端部と当接する容器を提供する。
【０００６】
容器を閉じる際にカバーを内方基部上に嵌めたときに、カバーと拡大された下方端部が容器に面一の外面を形成することが好ましい。
【０００７】
内方基部は、平坦な面で起立するための底部壁と、この底部壁から直立した周側壁とを含み、容器を閉じる際に内方基部上に嵌めたときに上記カバーがこの周側壁の大部分に亘って延びると便利である。
【０００８】
１つの実施態様において、拡大された下方端部が底壁に隣接した周側壁の端部の外方に拡大された部分を含む。
【０００９】
底部壁より遠位側の内方基部の周側壁は、容器内の収容物を容易に取り出せるようにスリットを含んでもよい。
【００１０】
内方基部の周側壁の縁は、容器内の収容物を容易に取り出せるように角度を付けてもよい。
【００１１】
カバーは周縁部から延びた周側壁を有する頂壁を含むのが好ましい。
【００１２】
容器を閉じた状態に維持するためにカバーを内方基部に嵌めたときにカバーを内方基部に固定するための協働する固定手段を内方基部とカバーが含むと便利である。
【００１３】
１つの実施態様において、協働する固定手段はカバーの周側壁の内面に形成されたリップを含む。
【００１４】
さらに協働する固定手段は、拡大された下方端部に隣接した内方基部の周側壁の外面に形成され、カバーのリップと係合してカバーを内方基部に固定するように構成されたビードを含むことが好ましい。
【００１５】
上述の容器は、円筒形状であってもよい。
【００１６】
１つの実施態様において、容器は実質的に円筒状であり、拡大された下方端部は、内方基部の底部壁に隣接した内方基部の周側壁の端部の円周方向に拡大された部分を含む。
【００１７】
好ましい実施態様において容器は、立方体形状である。
【００１８】
好ましくは容器は、実質的に立方体形状であり、拡大された下方端部は、内方基部の底部壁に隣接した内方基部の周側壁の端部の円周方向に拡大された部分を含む。
【００１９】
１つの実施態様では内方基部の側壁の外面によって形成される内方基部の外方断面は、内方基部の側壁の内面によって形成される内方基部の内方の断面と異なる形状である。
【００２０】
また別の実施態様では内方基部の側壁の外面によって形成される内方基部の外方断面は、内方基部の側壁の内面によって形成される内方基部の内方の断面と同じ形状である。
【００２１】
インサートが内方基部内に含まれる喫煙品を並べるために内方基部のスペースに収容され、このインサートは、内方基部の側壁の外方面によって形成された内方基部の外方断面と異なる内方の断面を形成する。
【００２２】
容器は実質的に方形の外方断面を有するのが好ましい。
【００２３】
これとは別の実施態様において容器は実質的に矩形の外方断面を有する。
【００２４】
本発明の実施態様を添付の図面を参照し、あくまで例示を目的として以下に詳述する。
【図面の簡単な説明】
【００２５】
【図１】本発明による容器の閉じた状態の斜視図である。
【図２】図１の容器の内方基部の斜視図である。
【図３】図２の内方基部の上面図である。
【図４】別の実施態様の内方基部の斜視図である。
【図５】図４の内方部分の前面図である。
【図６】内方基部のさらに別の実施態様を示している。
【図７】容器の別の実施態様の斜視図である。
【図８】図７の容器の内方基部の斜視図である。
【図９】別の構成の内方基部の断面図である。
【発明を実施するための形態】
【００２６】
図を参照すると図１から３に本発明の容器１が示されており、この容器はその端部で起立させた際に紙巻きタバコなどの喫煙品を直立した位置に収容するためのスペース４を形成する内方基部２と取り外し自在に装着可能なカバー３とを含む。
【００２７】
内方基部２は、円形の底壁５を含み、この底壁はその縁部から垂直に延びた周側壁６を有し、よって内方基部２は一般的な円筒形状を有する。カバー３は円形の頂部７を含み、この頂部はその縁部から垂直に延びた周側壁８を有する。カバー３の側壁８の外形は、内方基部２の側壁６の外形より僅かに大きく、これによりカバー３は容器１が閉じられる際に内方基部２の側壁６に亘って延びる。内方基部２の下方部９は、図２および３に示すように円周方向に拡大されており、これによりカバー３が内方の基部２の側壁６に亘って嵌められると、カバー３と拡大部９が当接し、外面が面一になる。内方基部２の円周方向に拡大された下方部分９上には２つのビード１０ａ、１０ｂがあり、これらビードは、カバー３を内方基部２に固定するためにカバー３の内面に配された対応するリップ（図示せず）と係合するように構成されている。
【００２８】
図２に示すように内方基部２の縁１１は平面であるが、当然のことながらユーザーが紙巻きタバコを取り出しやすくするように縁１１を他の形状に形成することができる。別の実施態様の内方基部を図４および５に示すが、ここではスリット２２が縁２１から側壁を通って下方に延びており、スリット２２の角２３ａ、２３ｂは、弓形に形成されている。角の１つ２３ｂは、紙巻きタバコを容易に取り出すための側部開口部２４を形成する大きな半径を有する。図６に示すような別の実施態様では縁３１が収容されている紙巻きタバコに容易に触れることができるように角度が付けられている。
【００２９】
本発明による容器は、要求される必要な品質およびデザインの詳細によって金属またはプラスチックで作製することができる。内方基部２の側壁６の大部分に亘って延びるカバー３の側壁８を重ねて形成された容器を２層にすることによって、単層壁の容器と比較して剛性および構造安定性を高められる。さらにカバー３が内方基部２の側壁６の大部分に亘って延びており、これによってカバーは、カバーが基部の僅かな部分だけを覆う容器に較べて内容物を露出させるために内方基部２に対して長くスライドさせなければならないので、容器が意図せずに開いてしまうことが妨げられる。さらにカバーが基部２に対してしっかりと装着されていることをユーザーに再確認させるビード２３ａ、２３ｂとリップとの協働によって、容器が封止された状態をより確実に維持することができる。この構成は、ユーザーが確実に容器を適切に封止できるようにリップがビード２３ａ、２３ｂ上に移動した際にスナップ音がするように変えることも可能である。
【００３０】
図に示し、説明した実施態様においてカバーは内方基部の全長の約９０％に亘って延びている。このことは上述の利点を供する。しかしながらこれとは別にカバーは、本発明の範囲内で内方基部の全長の少なくとも５０％に亘って延びてもよく、当然のことながら内方基部の全長の９０％超に亘って延びてもよい。
【００３１】
内方基部２の底壁５の構成によって容器１は垂直に安定した状態で直立し、従ってテーブル上等でユーザー同士が共有することができ、矩形の紙または板紙のパッケージでは現在提供できない社交場での注目を集めることができる。さらに肌に隣接するポケットに保持した場合にユーザーに不快感を与えるまたはバッグの裏地を傷つけるなどの角が尖っていることによって生じる従来の紙巻きタバコパッケージの不都合は、本発明の容器の円筒状の形状によって軽減される。
【００３２】
本発明の容器を円筒状のものとして説明したが、当然のことながら他の形状、例えば容器の長手軸に対して垂直に見て断面が楕円、方形または矩形のものであってもよい。図７は本発明の別の実施態様による容器３１を示し、この容器はその長手軸に対して垂直に見て実質的に方形の断面を有し、内方基部３２とカバー３３が上述した実施態様と同じ方法で閉じるように構成されている。方形の断面を有する容器３１または他の形状の容器の内方基部３２の縁は、円筒の実施態様について説明したものとは別の構造のものであってもよい。例えば図８に示すように方形の容器３１の内方基部３２は、縁３６から側壁を下方に延びたスリット３５を有し、スリット３５の角３７ａ、３７ｂは、弓状に形成されている。角の内の１つ３７ｂは、紙巻きタバコを容易に取り出せるようにするための側部開口部３８を形成する大きな半径を有する。これとは別に内方基部３２は円筒形の実施態様について図２および６に示した平坦な縁または傾斜した縁を有してもよい。
【００３３】
容器１、３１の外形は、内方基部２、３２によって形成されるスペース４とは異なる形状であってもよく、紙巻きタバコなどの喫煙品を内方基部内に色々な構成に配置されるように喫煙品を収容することができる。言い換えれば容器の長手軸を垂直に見たときに内方基部の側壁の外面として形成された外方の断面は、カバー断面と同じ形状であるが、内方基部の側壁の内面として形成された内方断面と異なってもよい。例えばカバー３、３３および内方基部２、３２の側壁の外面４０を円筒状にし、カバーと内方基部が上述の実施態様のものと同じように閉じ、内方基部２、３２の側壁の外方面４１をその長手軸を垂直方向から見た際の断面が方形になるように形成し、喫煙品が方形の構造に並ぶようにしてもよい。内方基部のこのような例示的構造を図９に示す。喫煙品の並びの形状を形成する内方基部２、３２の内部形状を内方基部２、３２の一体部分として形成してもよく、あるいは内方基部２、３２に内に設けられた追加の形成されたインサートであってもよい。これにより喫煙品の並びを内方基部２、３２の外形に関係なく円形、方形、矩形または他の形状にすることができる。
【００３４】
本発明の実施態様を示し、説明したが、当業者にとって当然のことながら上記の例示した実施態様の変形例は、以下の特許請求によって定義される本発明の範囲に入る。
【先行技術文献】
【特許文献】
【００３５】
【特許文献１】国際公開第ＷＯ０１／５６４１１号パンフレット
【図１】
2012526710.tif 000003
【図２】
2012526710.tif 000004
【図３】
2012526710.tif 000005
【図４】
2012526710.tif 000006
【図５】
2012526710.tif 000007
【図６】
2012526710.tif 000008
【図７】
2012526710.tif 000009
【図８】
2012526710.tif 000010
【図９】
2012526710.tif 000011
【手続補正書】
【提出日】平成23年9月23日(2011.9.23)
【手続補正１】
【補正対象書類名】特許請求の範囲
【補正対象項目名】全文
【補正方法】変更
【補正の内容】
【特許請求の範囲】
【請求項１】
剛性の材料で形成された容器であって、この容器は、平坦な面で直立するように構成され、底壁と、喫煙品を収容するためのスペースを形成する底壁から直立した周側壁とを含む内方基部と、この内方基部の周側壁の大部分に亘って延びるように内方基部上に嵌められる周縁部から延びた周側壁を有する頂壁を含むカバーとを含み、内方基部は、拡大された下方端部を含み、容器を閉じる際にカバーが内方基部上に嵌められたときにカバーがこの下方端部と当接し、容器を閉じた状態に維持するためにカバーを内方基部に嵌めたときにカバーを内方基部に固定するための協働する固定手段を内方基部とカバーが含み、前記協働する固定手段は、カバーの周側壁の内面に形成された環状のリップとこのリップと係合するように構成された拡大された下方端部に隣接した内方基部の周側壁の外面に形成され、軸方向に間隔をおいて位置する１組の平行なビードを含む容器。
【請求項２】
容器を閉じる際にカバーが内方基部上に嵌められたときに、カバーと拡大された下方端部が容器の外面で面一にあることを特徴とする請求項１記載の容器。
【請求項３】
拡大された下方端部が前記底壁に隣接した周側壁の端部の外方に拡大された部分を含むことを特徴とする請求項１または２記載の容器。
【請求項４】
前記底部壁から遠位にある内方基部の周側壁は、容器の内容物を取り出しやすくするためのスリットを含むことを特徴とする請求項１乃至３いずれか１項記載の容器。
【請求項５】
内容基部の周側壁の円に角度を付けて、容器の内容物を取り出しやすくしている請求項１乃至４いずれか１項記載の容器。
【請求項６】
円筒形状であることを特徴とする請求項１乃至５いずれか１項記載の容器。
【請求項７】
容器は実質的に円筒状であり、拡大された下方端部は、内方基部の底部壁に隣接した内方基部の周側壁の端部の円周方向に拡大された部分を含むことを特徴とする請求項１乃至６いずれか１項記載の容器。
【請求項８】
立方体形状であることを特徴とする請求項１乃至５いずれか１項記載の容器。
【請求項９】
容器は、実質的に立方体形状であり、拡大された下方端部は、内方基部の底部壁に隣接した内方基部の周側壁の端部の円周方向に拡大された部分を含むことを特徴とする請求項１乃至５いずれか１項記載の容器。
【請求項１０】
内方基部の側壁の外面によって形成される内方基部の外方断面は、内方基部の側壁の内面によって形成される内方基部の内方の断面と異なる形状であることを特徴とする請求項１乃至９いずれか１項記載の容器。
【請求項１１】
内方基部の側壁の外面によって形成される内方基部の外方断面は、内方基部の側壁の内面によって形成される内方基部の内方の断面と同じ形状であることを特徴とする請求項１乃至９いずれか１項記載の容器。
【請求項１２】
インサートが内方基部内に含まれる喫煙品を並べるために内方基部のスペースに収容され、このインサートは、内方基部の側壁の外方面によって形成された内方基部の外方断面と異なる内方の断面を形成することを特徴とする請求項１乃至９いずれか１項記載の容器。
【請求項１３】
実質的に方形の外方断面を有することを特徴とする請求項１０または１２記載の容器。
【請求項１４】
実質的に矩形の外方断面を有することを特徴とする請求項１０または１２記載の容器。
【国際調査報告】
2012526710.tif 000012
2012526710.tif 000013
2012526710.tif 000014